(57)【要約】      （修正有）【課題】樹木の幹が太くなっても対応できる構造を有する樹木の根元保護盤を提供する。【解決手段】１つの合成樹脂製の有孔板体２と１つの断面がＬ字状あるいはコ字状の緩衝部材３をユニットとして、複数のユニットが中央部に樹木通し孔６を形成するように隣接配置された樹木の根元保護盤であって、各ユニットにおいて、有孔板体の樹木通し孔側の縁の全長に断面がＬ字状あるいはコ字状の緩衝部材が取り付けられ、隣接する有孔板体同士はクリップ５により接合されている。断面がＬ字状の緩衝部材は留め具４により取り付けられる。【選択図】図１
0003221923.tif 000002
【実用新案登録請求の範囲】
【請求項１】
１つの合成樹脂製の有孔板体と１つの断面がＬ字状の緩衝部材をユニットとして、複数のユニットが中央部に樹木通し孔を形成するように隣接配置された樹木の根元保護盤であって、各ユニットにおいて、有孔板体の樹木通し孔側の縁の上面と側面との全長に断面がＬ字状の緩衝部材が当接して留め具により取り付けられ、隣接する有孔板体同士はクリップにより接合されていることを特徴とする樹木の根元保護盤。
【請求項２】
１つの合成樹脂製の有孔板体と１つの断面がコ字状の緩衝部材をユニットとして、複数の該ユニットが中央部に樹木通し孔を形成するように隣接配置された樹木の根元保護盤であって、各ユニットにおいて、有孔板体の樹木通し孔側の縁の全長に断面がコ字状の緩衝部材が装着して取り付けられ、隣接する有孔板体同士はクリップにより接合されていることを特徴とする樹木の根元保護盤。
【請求項３】
前記複数のユニットが２つであることを特徴とする請求項１又は２に記載の樹木の根元保護盤。
【考案の詳細な説明】
【技術分野】
【０００１】
この考案は、樹木の根部を保護するための樹木の根元保護盤に関するものである。
【背景技術】
【０００２】
樹木の根元保護蓋は、樹木の生育を維持し、また、歩行者の踏みつけなどから樹木の根部を保護することが目的で設置される。
従来、鋳造された金属製の複数のブロックを組み合わせて樹木の根元外周に配置して、樹木の根元保護盤を構成していた。
【０００３】
この技術のものでは、図９に示すように、鋳造された金属製の複数のブロック９、９・・・を組み合わせて樹木１０の根元外周に配置して、根元保護盤１を構成していた。鋳造された金属製の複数のブロック９を組み合わせて構成するため、その重量が重く、設置作業が面倒であるとともにブロックが錆やすいという問題がある。
【０００４】
このような問題点に鑑みて、図８に示すように、樹木の根元保護盤１を合成樹脂製の複数に分割された有孔板体２で構成したことにより、重量が軽くて取扱いが容易な、錆にくい樹木の根元保護盤が開発された（特許文献１）。
【０００５】
しかし、従来の樹木の根元保護盤は、樹木が成長して幹が太くなって、根元部が拡大し、樹木の根元保護盤の樹木通し孔の縁が樹木を圧迫するようになると、取り換えなくてはならなかった。
そこで、樹木通し孔のサイズに応じて、多くのサイズの樹木の根元保護盤を揃えることで対応する外なかった。しかし、このことは、設置者にとっても、製造業者にとっても不経済であった。
また、樹木の成長を見越して、樹木通し孔の大きな樹木の根元保護盤を設置すると、樹木の根元部と樹木の根元保護盤の樹木通し孔の縁との間に露出した地面を歩行者などが侵入して踏み固め、樹木の保護が十分にできない事態を招くことになっていた。
【先行技術文献】
【特許文献】
【０００６】
【特許文献１】登録実用新案第３０３７０７０号公報
【考案の概要】
【考案が解決しようとする課題】
【０００７】
本考案は上述の課題を解決するためなされたものであり、樹木の成長により、幹が太くなっても、対応できる構造を有する樹木の根元保護盤を提供することを目的とする。
【課題を解決するための手段】
【０００８】
上記目的を達成するために、本考案は以下の手段を採用する。
［１］１つの合成樹脂製の有孔板体と１つの断面がＬ字状の緩衝部材をユニットとして、複数のユニットが中央部に樹木通し孔を形成するように隣接配置された樹木の根元保護盤であって、各ユニットにおいて、有孔板体の樹木通し孔側の縁の上面と側面との全長に断面がＬ字状の緩衝部材が当接して留め具により取り付けられ、隣接する有孔板体同士はクリップにより接合されていることを特徴とする樹木の根元保護盤。
［２］１つの合成樹脂製の有孔板体と１つの断面がコ字状の緩衝部材をユニットとして、複数の該ユニットが中央部に樹木通し孔を形成するように隣接配置された樹木の根元保護盤であって、各ユニットにおいて、有孔板体の樹木通し孔側の縁の全長に断面がコ字状の緩衝部材が装着して取り付けられ、隣接する有孔板体同士はクリップにより接合されていることを特徴とする樹木の根元保護盤。
［３］前記複数のユニットが２つであることを特徴とする［１］又は［２］に記載の樹木の根元保護盤。
【考案の効果】
【０００９】
本考案の樹木の根元保護盤は、１つの合成樹脂製の有孔板体と該有孔板体の樹木通し孔側の縁の全長に取り付けられる１つの断面がＬ字状の緩衝部材あるいは１つの断面がコ字状の緩衝部材とをユニットとして、複数の該ユニットを中央部に樹木通し孔を形成するように隣接配置して、隣接する有孔板体をクリップで固定しているから、緩衝部材を有孔板体に取り付けて、樹木の成長に応じて樹木通し孔を形成することができ、また、既存の合成樹脂製の有孔板体を利用することができる。
【図面の簡単な説明】
【００１０】
【図１】本考案の２つのユニットからなる円形の根元保護盤の平面図を示す。
【図２】本考案のユニットを構成する緩衝部材と有孔板体を示す。
【図３】２種の有孔板体（ａ）、（ｂ）を示す。
【図４】本考案の断面Ｌ字状（ａ）および断面コ字状（ｂ）の緩衝部材を示す（上が平面図、下が正面図）。
【図５】断面Ｌ字状の緩衝部材が留め具により有孔板体に取り付けられている状態を示す。
【図６】隣接する有孔板体の格子片を接合するクリップを示す。（ａ）は斜視図、（ｂ）は隣接する格子片を接合（狭持）した状態を示す断面図である。
【図７】本考案の２つのユニットからなる正方形の根元保護盤の平面図を示す。
【図８】従来例の根元保護盤を示す。
【図９】樹木の根元に設置された根元保護盤を示す。
【考案を実施するための形態】
【００１１】
図面に基づいて、本考案の実施形態を詳細に説明する。
本考案の樹木の根元保護盤は、１つの有孔板体と１つの緩衝部材をユニットとし、複数のユニットを隣接位置したものから形成される。以下、２つのユニットから構成される根元保護盤について説明する。
図１に、２つのユニットからなる円形の根元保護盤を示した。ここで、１は根元保護盤、２は有孔板体、３は緩衝部材、４は留め具、５はクリップ、６は樹木通し孔である。留め具４は、後述するように、緩衝部材３の断面形状がＬ字状である場合に使用される。
【００１２】
図２に、ユニットを構成する有孔板体２と緩衝部材３とを示した。
ユニットは、１つの合成樹脂製の有孔板体２と１つの緩衝部材３とからなり、緩衝部材３は有孔板体２の樹木通し孔６側の縁の全長に当接して取り付けられるものである。
図１から分かるように、２つのユニットが対向するように隣接配置されて、中央部に樹木通し孔６が形成された根元保護盤１が形成される。２つの緩衝部材３が樹木通し孔６の形状を規定し、図１では円形である。
【００１３】
有孔板体２は、多数の通水や通光のための透孔が格子状に形成された板状体であり、ＦＲＰなどの合成樹脂板から製作される。有孔板体の厚みは、通常、２０〜４０ｍｍ程度である。
図３に２種の有孔板体２を示した。図３（ａ）に示すものは、有孔板体２の樹木通し孔６側の縁の側面に沿って半円形の片が形成されている。この有孔板体２は、樹木通し孔６側の縁の側面に沿って半円形の片を有しているから、緩衝部材３を樹木通し孔側の縁に取り付けることなしに、根元保護盤１を形成することができる。
これに対して、図３（ｂ）に示すものは、有孔板体の樹木通し孔６側の縁を所定の幅で切断除去したものであり、樹木通し孔６側の縁に半円形の帯状の片がなく、格子を形成していた格子片の一部が切断により突出している。
なお、図３（ａ）に示す有孔板体２に緩衝部材３を取り付けることを排除するものではない。
【００１４】
樹木が成長して幹が太くなり、樹木の根元保護盤１の樹木通し孔６の面積が十分でなくなった場合は、既存の根元保護盤１を構成するすべての有孔板体２の樹木通し孔６側の縁を所定の幅で切り落とし、より大きな面積の樹木通し孔６が形成できるようにする。
したがって、既存の根元保護盤１が２つの図３（ａ）に示す有孔板体１から構成される場合は、この２つの有孔板体２の樹木通し孔６側の縁を所定の幅で切り落とし、図３（ｂ）に示すような有孔板体２の各々に緩衝部材３を取り付けて隣接配置することにより、より大きな面積の樹木通し孔６を備える根元保護盤１を構成することができる。
また、既存の根元保護盤１が２つの図３（ｂ）に示す有孔板体２と緩衝部材３のユニット２つから構成される場合も、同様に、この２つの有孔板体２の樹木通し孔６側の縁を所定の幅で切り落とし、この縁を切り落とした後の有孔板体２の各々に緩衝部材３を取り付けて隣接配置することにより、より大きな面積の樹木通し孔６を備える根元保護盤１を構成することができる。
【００１５】
有孔板体２の樹木通し孔６側の縁を切断すると、図３（ｂ）から分かるように、切断部位は格子を形成していた片の一部が欠けて、残存した片が突出することになるが、この部位に緩衝部材を取り付けると、有孔板体２の縁を保護できるとともに、突出した格子片が覆われて、根元保護盤１に進入した作業者や歩行者等に安全であり、また根元部を視覚的に強調して注意喚起を促すことができる。
【００１６】
このように、樹木の根元保護盤１を構成している有孔板体２は、樹木通し孔６側の縁を所定の幅で切り落とし、より大きな面積の樹木通し孔６が形成できるようにして、繰り返し利用することができる。
【００１７】
緩衝部材３は、図４（ａ）、（ｂ）に示すように、断面がＬ字状あるいはコ字状である。
断面がＬ字状の緩衝部材３は、断面の２辺のうちの一辺の長さが有孔板体の厚みと同じ程度のフレーム材である。
断面がコ字状の緩衝部材３は、断面を形成する上下２辺の内面の間隔が有孔板体２の厚みと同じ程度のフレーム材である。
いずれの緩衝部材３も、腐食しにくい材料、例えば、ＦＲＰなどの合成樹脂板やアルミ合金、ステンレス鋼の薄板から製作することができる。緩衝部材のフレーム材の厚みは１〜１０ｍｍ程度である。
【００１８】
根元保護盤１が２つのユニットからなる場合は、２つの緩衝部材３が対向するように隣接配置されて、樹木通し孔６を形成するから、樹木通し孔６が円形である場合は、ユニットを構成する緩衝部材３は、平面視形状が半円形のフレーム材である。
【００１９】
断面がＬ字状のフレーム材である緩衝部材３は、Ｌ字の直角を形成する２辺を有孔板体２の樹木通し孔６側の縁に押し付けて、該縁の全長にわたって縁の上面および側面に当接させ、留め具４により取り付けることができる。
断面がコ字状のフレーム材である緩衝部材３は、コ字の開口側を有孔板体２に押し付けることにより、コ字状断面の奥内に有孔板体２の樹木通し孔６側の縁を全長にわたって挿入させて、留め具４を使用することなく、有孔板体２に容易に装着して取り付けることができる。
【００２０】
断面がＬ字状の緩衝部材３を有孔板体に取り付けるには、図５に示すように、例えば、ボルト４１、ナット４２および金属板などを略Ｗ字状に成形した押さえ片４３からなる留め具４を使用することができる。すなわち、予め、緩衝部材３と留め具４の押さえ片４３の中央部とに留め具４のボルト４１の軸が貫通する孔を形成しておき、有孔板体２の樹木通し孔６側の縁に緩衝部材３を当接し、次いで、有孔板体２の縁部の２つの格子辺２１を緩衝部材３と留め具の押さえ片４３とで挟み込み、そして、緩衝部材３および押さえ片４３との孔にボルト４１の軸を通して、押さえ部材４３を貫通したボルト４１の軸の先端をナット４２で締め付けることにより、緩衝部材３を有孔板体２に固定することができる。固定位置は、２つのユニットからなる場合の根元保護盤１では、緩衝部材の長手方向の中央部よりの１ヶ所でもよいが、図１に示すように、緩衝部材の両端部、さらには、その中間部に２ヶ所の計４ヶ所とすることが望ましい。
留め具４のボルトやナット、押さえ片は、ステンレスや硬質合成樹脂などの腐食しない材料で製作することが望ましい。
なお、留め具４は、ボルト、ナットおよび略Ｗ字状に成形した押さえ片からなるものに限るものではない。
【００２１】
根元保護盤１の組み立ては、最初に有孔板体２の樹木通し孔６側の縁に、緩衝部材３を当接させて、断面がＬ字状の緩衝部材３の場合は、留め具４で固定し、断面がコ字状の緩衝部材３の場合は、留め具４を使用しないで、装着して取り付けることができる。次いで、図１に示すように、緩衝部材３が取り付けられた有孔板体２を、樹木通し孔６を形成するように、樹木の根元周囲に隣接配置する。最後に、隣接する部位の複数個所をクリップ５で接合して固定した後に根元部の地面に載置する。なお、根元保護盤１の組み立ては、この方法に限るものではない。
【００２２】
クリップ５は、図６に示すように、隣接する有孔板体２の互いに接触する２つの格子片２１を狭持する２つの爪５１を備えている。それぞれの爪５１の先には内側に突出する突起部５２を備えている。クリップ５を、隣接する有孔板体２の互いに接触する２つの格子片を上から狭持して押し込むと、この突起部５２が格子片の下面に回り込むので、根元保護盤１の上面からは狭持の状態を容易には解除できない。
【００２３】
図１で示される２つのユニットからなる根元保護盤１は、樹木の周囲にユニットを隣接配置してクリップ５で隣接する格子片を狭持して設置すると、隣接する有孔板体２がクリップ５で固定されている限り、緩衝部材３は、その端部が隣接する緩衝材３の端部に当接して拘束されることになるから、断面がＬ字状の緩衝部材３では、緩衝部材３を有孔板体２から樹木通し孔６側に力がかかっても、緩衝部材３はほとんど動かない。さらに留め具４で上下動を拘束されているから、緩衝部材３は有孔板体２に対して容易には外れない。
断面がコ字状の緩衝部材３では、隣接する有孔板体がクリップ５で固定されている限り、緩衝部材３は、その端部が隣接する緩衝材３の端部に当接して拘束され、かつそのコ字状断面内に有孔板体２の縁部が挿入されているから、留め具４を使用しなくとも、緩衝部材３を有孔板体２から樹木通し孔６側の方向や上下の方向に力がかかっても、緩衝部材３は、有孔板体２に対して容易には外れない。
以上のことは、３つ以上のユニットからなる根元保護盤１でも同様である。
【００２４】
根元保護盤１から緩衝部材３を外すには、例えば、根元保護盤１を根元部の地面から少し浮かせて、その裏面から隣接する有孔板体２を接合するクリップ５の爪５１を拡げて、クリップ５を外して、樹木の根元保護盤１をユニットに分解して、断面がＬ字状の緩衝部材の場合は留め具４を外した後に、断面がコ字状の場合はそのままの状態で、各ユニット有孔板体２から緩衝部材３を外して行うことができる。
【００２５】
図１では、形状が円形の根元保護盤１を示したが、根元保護盤１の形状は、円形に限らず、方形のものでもよい。図７に２つのユニットからなり、形状が正方形の樹木の根元保護盤１を示した。ここでは、樹木通し孔も正方形である。なお、この図では留め具４は示していない。
この場合、ユニットを構成する有孔板体２と緩衝部材３は、いずれも平面視の形状がコ字状であり、平面視コ字状の緩衝部材３が、平面視コ字状の有孔板体２の樹木通し孔６側の縁の全長に取り付けられる。この場合も、緩衝材３の断面形状は、Ｌ字状あるいはコ字状である。図６に示す正方形の根元保護盤１では、樹木通し孔６が正方形であるが、これに限るものではなく、円形の樹木通し孔６とすることもできる。
【００２６】
図１および図７に示すものでは、２つのユニットからなる根元保護盤１を示したが、３つ以上のユニットから根元保護盤１を構成することも可能である。形状および樹木通し孔６がともに円形の樹木保護盤１が３つのユニットからなる場合は、各ユニットの有孔板体の形状は略扇形である。
なお、図８に示すように、ユニットを構成する有孔板体２には、図９に示す樹木を支える保護材の通し孔７を形成して、リング状枠体８を装着してもよい。
【産業上の利用可能性】
【００２７】
合成樹脂製の有孔板体２は、容易に切断することができ、根元通し孔６側の縁を切断することにより、樹木通し孔６の径を容易に大きくすることが可能である。したがって、樹木が成長して根元部が太くなっても、有孔板体２の樹木通し孔側の縁を所定量切断除去した合成樹脂製の有孔板体２を使用して既存の樹木の根元保護盤を使用することができる。
【００２８】
他方、緩衝部材３は、樹木が成長して、樹木の根元保護盤１の樹木通し孔６の面積が十分でなくなった場合は、より大きな樹木通し孔６を形成できる有孔板体２に取り換えるとともに、該有孔板体２に装着できる緩衝部材３に取り換える必要がある。そのため、緩衝部材３は、樹木通し孔６の径の大きさに応じたものを揃えることが必要である。有孔板体２と異なり、ユニットに使用される分割型の緩衝部材３は、比較的安価であり、在庫品としてさほど場所を取ることもない。
【符号の説明】
【００２９】
１：樹木の根元保護盤
２：有孔板体
２１：格子片
３：緩衝部材
４：留め具
４１：ボルト
４２：ナット
４３：押さえ片
５：クリップ
５１：（クリップの）爪
５２：（クリップの）突起部
６：樹木通し孔
７：樹木を支える保護材通し孔
８：リング状枠体
９：金属製ブロック
１０：樹木
【図１】
0003221923.tif 000003
【図２】
0003221923.tif 000004
【図３】
0003221923.tif 000005
【図４】
0003221923.tif 000006
【図５】
0003221923.tif 000007
【図６】
0003221923.tif 000008
【図７】
0003221923.tif 000009
【図８】
0003221923.tif 000010
【図９】
0003221923.tif 000011